(57)【特許請求の範囲】
【請求項１】
複数の光照射位置から被検体に対し光を照射する手段と、前記複数の光照射位置から照射され、前記被検体内部を通過した光を前記複数の光照射位置近傍に設置された複数の検出位置で検出する光検出手段と、前記光検出手段で検出された検出位置毎の光量を用いて前記被検体内部の生態情報を表わすトポグラフィ画像を作成する信号処理手段とを備えた生体光計測装置において、
前記信号処理手段は、前記光照射位置及び光検出位置と前記被検体に設けられた基準点との位置関係を表わす三次元座標データを設定する手段と、前記三次元座標データに基づいて三次元トポグラフィ画像を作成する手段と、前記光照射位置及び光検出位置との位置関係を示す前記三次元座標データと、前記被検体の三次元形態画像の三次元座標データとを合わせて前記三次元トポグラフィ画像と前記形態画像との合成画像を作成し表示する手段とを含むことを特徴とする生体光計測装置。
【請求項２】
請求項１に記載の生体光計測装置において、前記信号処理手段は、さらに前記三次元形態画像において、前記被検体の表面から所定の深さの内部に前記三次元トポグラフィ画像を配置する手段を含むことを特徴とする生体光計測装置。
【請求項３】
請求項１に記載の生体光計測装置において、さらに前記被検体の三次元形態画像データを入力する手段を含むことを特徴とする生体光計測装置。
【請求項４】
請求項１に記載の生体光計測装置において、前記信号処理手段は、前記形態画像として、前記被検体のワイヤーフレーム画像を作成する手段を含むことを特徴とする生体光計測装置。
【請求項５】
請求項１に記載の生体光計測装置において、前記形態画像は断層画像を含むことを特徴とする生体光計測装置。
【請求項６】
請求項５に記載の生体光計測装置において、前記形態画像はＣＴ画像を含むことを特徴とする生体光計測装置。
【請求項７】
請求項５に記載の生体光計測装置において、前記形態画像はＭＲＩ画像を含むことを特徴とする生体光計測装置。
【発明の詳細な説明】
【０００１】
【発明の属する技術分野】
本発明は、生体光計測装置に関し、特に、生体の体表形状に沿った生体通過光強度画像の生成に適用して有効な技術に関するものである。
【０００２】
【従来の技術】
従来、生体内部を簡便且つ生体に害を与えずに計測する装置が臨床医学及び脳科学等の分野で切望されていた。この要望に対し、可視から赤外の波長の光を生体に照射し、生体を通過した光を検出することで生体内部を計測する装置が、例えば、特開平９−９８９７２公報（以下、「文献１」と記す）もしくは特開平９−１４９９０３公報（以下、「文献２」と記す）に記載されていた。
【０００３】
これらの文献に記載の「生体光計測装置」は、異なる変調周波数の光を発生させる変調半導体レーザと、発生された光を生体に誘導し異なる位置に照射する照射用光ファイバと、生体を通過した光を集光しフォトダイオードに誘導する検出用光ファイバと、照射用及び検出用光ファイバの先端部分を生体の所定位置に固定させる計測プローブと、フォトダイオードから出力される生体通過強度を表す電気信号（以下、「生体通過強度信号」と記す）から波長及び照射位置に対応する反射光強度をそれぞれ分離するロックインアンプと、ロックインアンプの出力をデジタル信号に変換するＡ／Ｄ変換器と、Ａ／Ｄ変換後の生体通過強度信号から計測点毎の酸化及び還元ヘモグロビン濃度の相対変化量を計算し、この相対変化量を生体通過強度画像（トポグラフィ画像）として表示する表示装置とから構成されていた。
【０００４】
この従来の生体光計測装置では、照射用光ファイバ及び検出用光ファイバを固定するプローブホルダと称される固定部材が計測プローブに形成されており、この計測プローブ上におけるプローブホルダ位置を基準としてトポグラフィ画像を生成し表示していた。すなわち、従来の生体光計測装置では、計測プローブに配置される照射用及び検出用光ファイバの二次元平面上における取り付け位置に基づいてトポグラフィ画像を生成し、生体の計測部位を模した二次元平面像上にトポグラフィ画像を位置合わせし、二次元平面像と共にトポグラフィ画像を同一表示領域内に表示させていた。
【０００５】
【発明が解決しようとする課題】
本発明者は、前記従来技術を検討した結果、以下の問題点を見いだした。
従来の生体光計測装置では、例えば、頭部を計測部位とした場合には、脳内のヘモグロビン変化の活性化状態及び局所的な脳内出血の測定等が可能であった。しかしながら、従来の生体光計測装置では、ヘモグロビン変化等が脳のどの領域で生じたものかを容易且つ正確に特定することができないという問題があった。
【０００６】
すなわち、従来の生体光計測装置では、例えば脳の中心溝等のように、計測部位の目安となる画像をトポグラフィ画像に投影させることによって、ヘモグロビンの変化領域を特定していた。このときの目安となる画像とトポグラフィ画像との位置合わせは、計測プローブの装着状態に基づいて検者が目安となる画像をトポグラフィ画像に投影させていたので、ヘモグロビン変化等が脳のどの領域で生じたものかを容易に把握することができなかった。
【０００７】
本発明の目的は、三次元的に配置される光照射位置及び光検出位置とトポグラフィ画像との位置関係を明確にすることが可能な技術を提供することにある。
【０００８】
本発明の他の目的は、計測部位におけるヘモグロビン量の変化量及び変化領域を容易に把握することが可能な技術を提供することにある。
【０００９】
本発明のその他の目的は、診断効率を向上することが可能な技術を提供することにある。
本発明の前記ならびにその他の目的と新規な特徴は、本明細書の記述及び添付図面によって明らかになるであろう。
【００１０】
【課題を解決するための手段】
本願において開示される発明のうち、代表的なものの概要を簡単に説明すれば、下記のとおりである。
（１）複数の光照射位置から被検体に対し光を照射する手段と、前記複数の光照射位置から照射され、前記被検体内部を通過した光を前記複数の光照射位置近傍に設置された複数の検出位置で検出する光検出手段と、前記光検出手段で検出された検出位置毎の光量を用いて前記被検体内部の生態情報を表わすトポグラフィ画像を作成する信号処理手段とを備えた生体光計測装置において、前記信号処理手段は、前記光照射位置及び光検出位置と前記被検体に設けられた基準点との位置関係を表わす三次元座標データを設定する手段と、前記三次元座標データに基づいて三次元トポグラフィ画像を作成する手段と、前記光照射位置及び光検出位置との位置関係を示す前記三次元座標データと前記被検体の三次元形態画像の三次元座標データとを合わせて前記三次元トポグラフィ画像と前記形態画像との合成画像を作成し表示する手段とを含むことを特徴とする。
【００１１】
（２）前記（１）の生体光計測装置において、前記信号処理手段は、さらに前記三次元形態画像において前記被検体の表面から所定の深さの内部に前記三次元トポグラフィ画像を配置する手段を含むことを特徴とする。
【００１２】
（３）前記（１）の生体光計測装置において、さらに前記被検体の三次元形態画像データを入力する手段を含むことを特徴とする。
【００１３】
（４）前記（１）の生体光計測装置において、前記信号処理手段は、前記形態画像として、前記被検体のワイヤーフレーム画像を作成する手段を含むことを特徴とする。
【００１４】
（５）前記（１）の生体光計測装置において、前記形態画像は断層画像を含むことを特徴とする。
【００１５】
（６）前記（５）の生体光計測装置において、前記形態画像はＣＴ画像を含むことを特徴とする。
【００１６】
（７）前記（５）の生体光計測装置において、前記形態画像はＭＲＩ画像を含むことを特徴とする。
【００１９】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００２０】
《全体構成》
図１は本発明の一実施の形態である生体光計測装置の概略構成を説明するための図であり、１は光源部、２は光モジュール、３は発振部、８は照射用光ファイバ、９は測定対象、１０は検出用光ファイバ、１１はフォトダイオード、１２はロックインアンプモジュール、１６はＡ／Ｄ変換器、１７は制御手段、１８は記録手段、１９は処理手段（画像生成手段）、２０は表示手段、２１は三次元位置検出手段（計測手段）を示す。ただし、制御手段１７及び処理手段１９における計測値の処理、並びに三次元位置検出手段２１を除く他の構成は、周知の手段及び機構を用いる。
【００２１】
本実施の形態では、測定対象９として例えば人体の頭部の皮膚表面から光を照射し、頭部の皮膚表面で検出された通過光から脳機能を画像化する場合を、計測チャンネルの個数すなわち計測位置が１２の場合について説明する。もちろん、本発明は測定対象９として人体以外の生体及び頭部以外の他の部位あるいは生体以外にも適用可能である。また、光照射位置及び光検出位置の数を増減させることにより、計測チャンネルの個数すなわち計測位置を増減させることが可能であり、計測領域を拡大・減少あるいは変形させることも可能となる。
【００２２】
図１において、光源部１は４個の光モジュール２から構成されている。各光モジュール２は、可視から赤外の波長領域中で複数の波長、例えば７８０ｎｍ及び８３０ｎｍの二波長の光をそれぞれ放射する２個の図示しない半導体レーザから構成されている。これらの二波長の値は、７８０ｎｍと８３０ｎｍとに限定されるものではなく、また、波長数も二波長に限定されるものではない。この光源部１については、半導体レーザの代わりに発光ダイオードを用いてもよい。この光源１に含まれる全ての半導体レーザである８個の半導体レーザは、それぞれ発振周波数の異なる図示しない発振器で構成される発振部３により、それぞれ変調される。ただし、この変調として、本実施の形態では正弦波によるアナログ変調の場合を示すが、これに限定されることはなく、それぞれ異なる時間間隔の矩形波によるデジタル変調を用いてもよい。また、光モジュール２には、各半導体レーザを駆動する図示しない駆動回路と、それぞれの半導体レーザから放射された７８０ｎｍ及び８３０ｎｍの波長の光を１本の光ファイバ（照射用光ファイバ８）に導入させる図示しない光ファイバ結合器とが備えられている。
【００２３】
従って、光源部１から放射される二波長光を混合した光は、各光モジュール２にその一端が接続される４本の照射用光ファイバ８で誘導され、他端である先端部分から測定対象９に照射される。このとき、各照射用光ファイバ８の他端側は図示しない計測プローブに固定され、それぞれ異なる位置に光を照射する。ただし、本実施の形態では、照射用光ファイバ８及び検出用光ファイバ１０の先端部分は、交互に正方格子上に配置される。なお、計測プローブの詳細については、例えば、文献２に記載される。
【００２４】
頭部内を通過した光すなわち生体通過光は、図示しない計測プローブに一端が固定された５本の検出用光ファイバ１０でそれぞれ集光され、各検出用光ファイバ１０の他端に接続される光検出器であるフォトダイオード１１で検出される。このフォトダイオード１１としては、高感度な光計測が実現可能な周知のアバランシェフォトダイオードが望ましい。また、光検出器としては、光電子増倍管等の光電変換素子ならば他のものでもよい。
【００２５】
これらのフォトダイオード１１で生体通過光は電気信号（以下、「生体通過光強度信号」と記す）に変換された後、変調信号の選択的な検出回路である例えば複数のロックインアンプから構成されるロックインアンプモジュール１２で、照射位置且つ波長に対応した変調信号が選択的に検出される。このとき、ロックインアンプモジュール１２から出力される変調信号は、波長及び照射位置に対応する生体通過強度信号にそれぞれ分離されたものである。ただし、本実施の形態では、二波長の光を用いて１２個の計測位置での計測を行うので、計測すべき信号数は２４となる。従って、本実施の形態のロックインアンプモジュール１２では、合計２４個の図示しないロックインアンプを用いる。ただし、デジタル変調を用いた場合には、変調信号検出としてデジタルフィルタもしくはデジタルシグナルプロセッサを用いることが可能である。
【００２６】
ロックインアンプモジュール１２からアナログ出力される生体通過光強度信号は、２４チャンネルのＡ／Ｄ変換器（アナログデジタル変換器）１６によりそれぞれデジタル信号に変換される。それぞれのデジタル信号は、波長及び照射位置毎の生体通過光強度信号である。
【００２７】
以上に説明した計測動作は、従来の生体光計測装置による計測動作と同じであり、この計測動作は制御手段１７により制御されている。また、以下に説明する本実施の形態の生体光計測装置に固有の計測信号処理動作についても、制御手段１７により制御される。
【００２８】
本実施の形態の生体光計測装置に固有の計測として、測定対象９に対する生体光計測の開始前あるいは終了後に、三次元位置検出手段２１によって測定対象９の外形形状を特定するために必要となる個所（以下、「基準位置」と記す）の三次元位置計測、並びに照射用光ファイバ８及び検出用光ファイバ１０と測定対象９との接触位置（以下、「プローブ位置」と記す）の三次元位置計測を行う。具体的には、基準位置として、次の５点の基準点を測定する。左耳位置、右耳位置、鼻のくぼみ位置（ナジオン）、後頭部（イニオン）の位置である。次に、プローブ位置を全てのファイバーに指定されたチャンネルの順番で測定する。ここで得られたプローブ位置の座標データを、先に特定した基準点からの座標に変換することで、基準位置とプローブ位置との位置関係が明らかになる。計測された基準位置及びプローブ位置は、記録手段１８に記録される。ただし、三次元位置検出手段２１としては、例えば、「渡辺英寿：“ニューロナビゲータ現状と将来”，先端医療，Ｖｏｌ．５，Ｎｏ．２，ｐｐ７６−７８，１９９８」に記載のニューロナビゲータと称される位置検出手段を用いることによって実現可能である。
【００２９】
一方、デジタル信号に変換された生体通過光強度信号は、記録手段１８で記録される。記録手段１８に記録された生体通過光強度信号は処理手段１９に読み出され、該処理手段１９において、生体通過光の計測位置毎に、生体通過光強度信号から求められる脳活動に伴う酸素化ヘモグロビン濃度変化及び脱酸素化ヘモグロビン濃度変化、さらには血流量に対応するヘモグロビン濃度総量を示すトポグラフィ像が計算される。ただし、このときの各光ファイバ間の距離は、各光ファイバを測定対象９に固定させる計測プローブでの間隔である３０ｍｍが使用される。次に、処理手段１９は記録手段１８からプローブ位置の三次元位置情報を読み出し、このプローブ位置情報に基づいて、処理手段１９は各計測位置における光ファイバ間の距離を計算する。次に、計算によって得られた計測時における三次元空間における光ファイバ間の距離で酸素化ヘモグロビン濃度変化及び脱酸素化ヘモグロビン濃度変化並びにヘモグロビン濃度総量を示すトポグラフィ像を補正し、該補正値を複数の計測位置での経時情報として表示手段２０の表示画面上に表示させる。このとき、本実施の形態の生体光計測装置では、処理手段１９は記録手段１８から測定対象９の外形形状の三次元情報である基準位置の情報を読み出し、この基準位置の情報に基づいて、処理手段１９は測定対象９の外形形状をその輪郭と複数の楕円とで示す像であるワイヤーフレーム像として生成し、補正後の酸素化ヘモグロビン濃度変化及び脱酸素化ヘモグロビン濃度変化並びにヘモグロビン濃度総量を示すトポグラフィ像と一緒に表示手段２０の表示画面上に表示させる。さらには、処理手段１９はトポグラフィ像と一緒に照射用光ファイバ８及び検出用光ファイバ１０と測定対象９との接触位置を表示面上に表示させる。これによって、三次元的に表示されるトポグラフィ像と照射位置及び検出位置との位置関係を明確にすることができる。従って、計測部位におけるヘモグロビン量の変化量及び変化領域を正確に特定することができる。その結果として、検者の診断効率を向上させることが可能となる。なお、各計測位置の生体通過光強度信号から酸素化及び脱酸素化ヘモグロビン濃度変化並びにヘモグロビン濃度総量を計算する方法については、文献１及び文献２に記載されているので、詳細な説明は省略する。
【００３０】
次に、図２に本実施の形態の処理手段での生体通過光強度画像の生成動作の詳細を説明するための図を示し、以下、図２に基づいて、処理手段１９におけるトポグラフィ像の生成手順を説明する。ただし、以下の説明は、従来の生体光計測装置における処理手段と動作が異なる生成動作についてのみ説明する。
【００３１】
本フローの開始は、図示しない入力手段からのトポグラフィ画像の生成指示であり、具体的には、トポグラフィ画像の生成指示に基づいて制御手段１７が処理手段１９に出力するトポグラフィ画像の生成開始指示である。このとき、制御手段１７は、頭部形状に係わる三次元位置情報２０１、並びに照射用及び検出用光ファイバ８，１０と測定対象９との接触位置に係わる三次元位置情報２０２を、記録手段１８から処理手段１９に出力させるための指示がなされる。ただし、三次元位置情報２０１は、測定対象９の外形形状を特定するために計測された全ての基準位置の座標情報である。
【００３２】
処理手段１９は、まず、測定対象９の計測部位である頭部の形状を計測した三次元位置情報２０１から頭部の三次元ワイヤーフレーム画像を生成する。具体的には、基準位置として測定した５点（左耳位置、右耳位置、鼻のくぼみ位置（ナジオン）、後頭部（イニオン））の座標を用いて、ＸＹＺ座標系による放物線近似を行うことによって、頭部形状のワイヤーフレーム画像を生成する。
【００３３】
次に、処理手段１９は、照射用及び検出用光ファイバ８，１０の先端部分と測定対象９との接触位置に係わる三次元位置情報２０２である光照射位置（照射位置）及び光検出位置（集光位置）の三次元位置情報に基づいて、計測部位である頭部の三次元フレーム像を生成（構成）する（ステップ２０３）。この後、処理手段１９は、生成された三次元フレーム像上における光照射位置及び光検出位置を特定し、プロットする（ステップ２０４）。次に、処理手段１９は、従来と同様の手順、すなわち、光照射位置と光検出位置との距離が全て設計距離である３０ｍｍとして、トポグラフィ像を生成する（ステップ２０５）。このステップ２０５では、例えば、図３に示すように、頭部に合わせて光照射位置及び光検出位置が間隔３０ｍｍで正方格子状に配列されているものとし、それぞれ隣接する光照射位置と光検出位置との中間位置である１２個の計測位置において、脳に対する刺激が加えられていない時と脳に刺激が加えられている時との酸素化ヘモグロビン濃度変化及び脱酸素化ヘモグロビン濃度変化並びにヘモグロビン濃度総量の変化を求める。次に、各計測位置におけるこれらヘモグロビン濃度変化の値を、例えば、３次スプライン補間により画像化し、この画像をトポグラフィ像とする。なお、ヘモグロビン濃度変化の値から３次スプライン補間によりトポグラフィ像を得る時の詳細については、文献１及び文献２に記載されているので、詳細な説明は省略する。
【００３４】
次に、処理手段１９は、読み込んだ光照射位置及び光検出位置２０２からそれぞれ隣接する光照射位置及び光検出位置の三次元空間における距離ｄを各計測位置毎に計算する。このとき本実施の形態では、計測位置数は１２個となるので、計算によって算出された光照射位置及び光検出位置の三次元空間における距離ｄも１２個となる。次に、処理手段１９は、補正前のトポグラフィ像である二次元の光照射位置及び光検出位置に基づいたトポグラフィ像Ｈb data(original)を下記の式（１）に従って補正し、補正後のトポグラフィ像である三次元の光照射位置及び光検出位置に基づいたトポグラフィ像Ｈb data(new)を生成する（ステップ２０６）。具体的には、３次スプライン補間によって得られたトポグラフィ像の各画素毎の画素値を、その画素に最も近い計測位置の距離ｄで補正する。なお、このときの補正は、前述するように、下記の数１に従う。
【００３５】
【数１】
Ｈb data(new)＝Ｈb data(original)×Ｄｉｓｔａｎｃｅ    ・・・（１）
ただし、Ｄｉｓｔａｎｃｅ＝ｄ／３０
次に、処理手段１９は、補正後のトポグラフィ像をステップ２０３で生成したワイヤーフレーム像に沿ったトポグラフィ像に変換する。具体的には、トポグラフィ像を構成する各画素の画素値を、頭部ワイヤフレーム座標に合わせて３次元マッピング補間を行うことにより、三次元トポグラフィ像画像へ変換する。
【００３６】
この後に、処理手段１９は、ワイヤーフレーム像にトポグラフィ像を重ねた三次元像を生成し、その三次元像を図示しない入力手段から指示された視点位置から見た二次元の画像（以下、「三次元的トポグラフィ像」と記す）に変換し、表示手段２０の表示面上に表示させ（ステップ２０７）、終了となる。従って、実施の形態１の生体光計測装置では、計測対象９のワイヤーフレーム像に沿ったトポグラフィ画像を生成することができる。
【００３７】
図４は本実施の形態の表示手段に表示された三次元的トポグラフィ像の一例を示す図である。ただし、本実施の形態の生体光計測装置では、刺激によるヘモグロビン濃度変化量の小さい領域を青色で示し、濃度変化量の大きい領域を赤色で示し、その中間部分を青色と赤色との中間色で表示するようにしている。しかしながら、図４ではヘモグロビン濃度変化の様子が分かるようにするために、赤色及び青色部分をそれぞれディザ表示としている。
【００３８】
図４において、４０１は測定対象９のワイヤーフレーム像、４０２はヘモグロビン濃度変化量が小さい領域、４０３はヘモグロビン濃度変化量が大きい領域を示す。また、ワイヤーフレーム像４０１に重ねて表示される数字は、計測位置のチャンネル番号すなわち光照射位置及び光検出位置を示す。
【００３９】
図４から明らかなように、本実施の形態の生体光計測装置では、計測結果である三次元トポグラフィ像と共に、この三次元トポグラフィ像上に光照射位置及び光検出位置の表示を行うことができるので、照射用光ファイバ及び検出用光ファイバと測定対象９との接触位置を正確に把握することが可能となる。その結果、測定対象９のどの位置でヘモグロビン濃度がどのように変化しているかを容易に把握することが可能となり、診断効率を向上させることができる。
【００４０】
さらには、本実施の形態の生体光計測装置では、測定対象９の測定部位の表面形状を模したワイヤーフレーム像４０１と共に、トポグラフィ像を表示させた三次元的トポグラフィ像表示を行うことが可能となるので、計測部位におけるヘモグロビン量の変化量及び変化領域を正確に特定することができる。その結果、診断効率をさらに向上することができる。
【００４１】
以上説明したように、本実施の形態の生体光計測装置では、それぞれが平行でないＸ軸、Ｙ軸及びＺ軸で三次元空間に配置される測定対象９と光照射位置及び光検出位置とを特定する三次元位置検出手段２１を備え、該三次元位置検出手段２１によって計測した計測部位の外形形状と光照射位置及び光検出位置とに基づいて、計測部位の外形形状とトポグラフィ像と光照射位置及び光検出位置とを三次元空間内に形成した三次元トポグラフィ像を生成し、三次元トポグラフィ像を所望の視点位置から観察した三次元的トポグラフィ像を表示する構成となっている。従って、測定対象９の計測部位に対するヘモグロビン量の変化領域を正確に特定することが可能となる。その結果、検者は測定対象９の計測部位に対するヘモグロビン量の変化領域の特定が容易となるので、診断効率を向上することができる。
【００４２】
また、本実施の形態の生体光計測装置では、計測部位に計測プローブを装着した状態で光照射位置及び光検出位置を計測することができる、すなわち、計測部位の外形形状と光照射位置及び光検出位置との位置関係を正確に計測することが可能となる。その結果、三次元的トポグラフィ像における計測部位の外形形状を示すワイヤーフレーム像４０１と、該ワイヤーフレーム像４０１と共に表示されるトポグラフィ像との位置ずれを最小限に抑えることができるという効果もある。
【００４３】
なお、本実施の形態の生体光計測装置では、まず、計測時における光ファイバの設計間隔で各計測位置毎に酸素化及び脱酸素化ヘモグロビン濃度変化並びにヘモグロビン濃度総量を計算し、その後に、三次元計測された光ファイバ位置から計算された光ファイバ間隔で、各計測位置毎に酸素化及び脱酸素化ヘモグロビン濃度変化並びにヘモグロビン濃度総量を補正する構成としたが、これに限定されることはなく、例えば、まず、三次元計測された光ファイバ位置から計測時における光ファイバ間隔を計算し、この計算された光ファイバ間隔に基づいて、各計測位置毎に酸素化及び脱酸素化ヘモグロビン濃度変化並びにヘモグロビン濃度総量を計算してもよいことはいうまでもない。
【００４４】
また、本実施の形態の生体光計測装置では、測定対象９の外形形状をワイヤーフレーム像としたが、これに限定されることはなく、例えば、測定対象９に対する計測点数を増やすことによって、例えばＸ線ＣＴ装置での三次元表示のように、測定対象９の表面モデルを作成し、この表面モデルを透視変換することによって得られる三次元的立体表示等でもよいことはいうまでもない。
【００４５】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００４６】
【発明の効果】
本願において開示される発明のうち代表的なものによって得られる効果を簡単に説明すれば、下記の通りである。
（１）三次元的に配置される光照射位置及び光検出位置とトポグラフィ画像との位置関係を明確にすることができる。
（２）計測部位におけるヘモグロビン量の変化量及び変化領域を容易に把握することができる。
（３）診断効率を向上することができる。
【図面の簡単な説明】
【図１】本発明の一実施の形態である生体光計測装置の概略構成を説明するための図である。
【図２】本実施の形態の処理手段での生体通過光強度画像の生成動作の詳細を説明するための図である。
【図３】従来と同様の処理手順による生体通過光強度画像の生成動作を説明するための図である。
【図４】本実施の形態の表示手段に表示された三次元的トポグラフィ像の一例を示す図である。
【符号の説明】
１…光源部、２…光モジュール、３…発振部、８…照射用光ファイバ、９…測定対象、１０…検出用光ファイバ、１１…フォトダイオード、１２…ロックインアンプモジュール、１６…Ａ／Ｄ変換器、１７…制御手段、１８…記録手段、１９…処理手段、２０…表示手段、２１…三次元位置検出手段、２０１…頭部形状に係わる三次元位置情報、２０２…照射用及び検出用光ファイバと測定対象との接触位置に係わる三次元位置情報、４０１…測定対象のワイヤーフレーム像、４０２…ヘモグロビン濃度変化量が小さい領域、４０３…ヘモグロビン濃度変化量が大きい領域。
【図１】
0004266453.tif 000002
【図２】
0004266453.tif 000003
【図３】
0004266453.tif 000004
【図４】
0004266453.tif 000005